(57)【要約】    【課題】充電中および／または充電終了時に充電量を簡便に変更できる充電システムを提供する。    【解決手段】複数の電気自動車のバッテリーを充電する急速充電部と、充電量に関する設定を受付ける入力操作部と、充電に係る通知を受領し充電量の変更に係る指示を受付ける携帯通信端末と、急速充電部、入力操作部および携帯通信端末と通信可能であって入力操作部が受付けた設定に基づいて急速充電部による充電を開始すると共に充電中および／または充電終了時に携帯通信端末への通知を行う充電制御部とを備え、通知を受けた携帯通信端末は、充電中および／または充電終了時に充電量の変更に係る指示を受付けて充電制御部に送信し、充電制御部は、前記指示に基づく充電を行う電気自動車用充電システム。【選択図】図１
2015167459.tif 000002
【特許請求の範囲】
【請求項１】
複数の電気自動車のバッテリーを充電する急速充電部と、
充電量に関する設定を受付ける入力操作部と、
充電に係る通知を受領し充電量の変更に係る指示を受付ける携帯通信端末と、
前記急速充電部、前記入力操作部および前記携帯通信端末と通信可能であって前記入力操作部が受付けた設定に基づいて前記急速充電部による充電を開始すると共に充電中および／または充電終了時に前記携帯通信端末への通知を行う充電制御部とを備え、
前記通知を受けた携帯通信端末は、充電中および／または充電終了時に充電量の変更に係る指示を受付けて前記充電制御部に送信し、
前記充電制御部は、前記指示に基づく充電を行うことを特徴とする電気自動車用充電システム。
【請求項２】
前記入力操作部は、充電量の設定を充電時間、充電金額、バッテリー残量、走行距離の指定の少なくとも何れかの指定によって受付け、
前記携帯通信端末は、設定された充電量の変更を充電時間、充電金額、バッテリー残量、走行距離の少なくとも何れかの指定によって受付ける請求項１に記載の充電システム。
【請求項３】
前記入力操作部は、充電速度が異なる複数の充電モードのうち一つの充電モードの選択を受付け、
前記携帯通信端末は選択された充電モードの変更を受付け、
充電中に前記急速充電部に異常が生じて設定された充電モードでの充電が継続できないとき、前記充電制御部はその旨を前記携帯通信端末へ通知すると共に、実行可能な充電モードがあるときはその充電モードを前記携帯通信端末へ通知する請求項２に記載の充電システム。
【請求項４】
前記充電制御部は、実行可能な充電モードがあるときはその充電モードへの切替えを行う請求項３に記載の充電システム。
【請求項５】
各電気自動車の充電と走行の履歴を格納する履歴格納部をさらに備え、
前記入力操作部および／または前記携帯通信端末が走行距離の指定を受付けたとき、前記充電制御部は前記履歴格納部に格納された前記履歴を参照し、前記走行距離に対応する充電量を算出する請求項２に記載の充電システム。
【請求項６】
（１）複数の電気自動車のバッテリーを充電する急速充電部、
（２）充電量に関する設定を受付ける入力操作部、および
（３）充電に係る通知を受領し充電量の変更に係る指示を受付ける携帯通信端末
と通信可能であって前記入力操作部が受付けた設定に基づいて前記急速充電部による充電を開始し、充電中および／または充電終了時に前記携帯通信端末への通知を行う充電制御部を備え、
前記充電制御部は、前記携帯通信端末が充電中および／または充電終了時に受付けた充電量の変更に係る指示に応答して前記指示に基づく充電を開始することを特徴とする電気自動車用充電制御装置。
【発明の詳細な説明】
【技術分野】
【０００１】
この発明は、電気自動車用充電システムおよび充電制御装置に関し、より詳細には充電中に充電に関する設定が変更可能な充電システムに関する。
【背景技術】
【０００２】
近年、電気自動車の開発が目覚ましく将来的な普及が予想されている一方、電気を充電するスタンドについては従来のガソリンスタンドと比較して空の状態から満杯にするまでに長い時間を要する。さらに、ガソリンと異なって目視できず重量が体感できない電気エネルギーは、ユーザにとって補給量、即ち充電量が把握しにくい。さらにユーザは、充電完了を知るために充電中は充電機付近で待ち続けなければならない。
そこで、電気自動車を充電するに際し、満充電、定額充電のみならず定時間充電を給油情報として指定可能な充電機の管理システムが提案されている（例えば、特許文献１参照）。また、充電実施時間帯、優先レベル及び充電量（充電量は充電時間を含む）のうち少なくとも何れかを充電対象である複数の車両に対してそれぞれ設定し、対象車両への充電を順次切替える充電装置が提案されている（例えば、特許文献２参照）。さらに、メールで充電完了を通知するものが提案されている（例えば、特許文献３参照）。
【先行技術文献】
【特許文献】
【０００３】
【特許文献１】特開２０１２−２２１３４３号公報
【特許文献２】特開２０１２−９０３７８号公報
【特許文献３】特開２０１２−２４４７８５号公報
【発明の概要】
【発明が解決しようとする課題】
【０００４】
従来のガソリンスタンドの様に、直接的な補給量の指定（何リットル給油）、満タンまで補給あるいは金額を指定して補給といった補給量を指定するだけでは補給にどの程度の時間を要するのかユーザにとって分かりにくい。
具体的に述べると、上述の従来の技術に基づいて電気自動車の充電を制御する手順として、例えば次のようなものが考えられる。
（１）操作部が、ユーザによる充電の種類の選択を受付ける。
（２）操作部が、ユーザによる充電量の設定として満充電または金額もしくは充電時間の指定を受付ける。
（３）設定された充電量に基づいて充電完了までの予測時間を算出し、表示部に表示させる。ユーザに充電完了までの予測時間を知らせるためである。
（４）充電終了時にユーザの携帯端末等に充電終了の通知を送るか否かの選択を受付ける。通知を送るように選択がなされたにもかかわらず、ユーザの連絡先（メールアドレスもしくは携帯番号など）の情報が未だ登録されていなければ、ユーザに連絡先の入力求める。
（５）充電を開始する。
（６）充電終了までの予測時間を算出して表示部に表示させる。充電終了の通知を送るように選択されている場合、登録された連絡先に予想時間を通知してもよい。
（７）指定された充電量の充電が完了したら、充電を終了し、表示部に終了を表示する。なお、充電装置はーザによる操作を受付ける操作部と充電に関する情報を表示する表示部とを備えるものとしている。
充電量（補給量）はガソリンの給油量に比べてユーザにとって分りにくい。まして、特定の距離（例えば、家に帰るまでの走行距離、別の充電スタンドまでの走行距離、当日走行する予定の距離など）を走るために必要と思われる量だけ充電したいとユーザが考えても、対応する充電量をユーザが認識して指定することが容易でない。
これに関連して、当初指定した充電量の充電が終了したが時間に余裕がある場合や、充電開始後にさらなる充電の必要が生じたり考えが変ったりして追加の充電を行いたいシーンが考えられる。例えば、当初は金額で１０００円分の充電時間を指定したが、充電終了の通知を受けたときに時間的余裕があるので、さらに１５分間充電を続けたいといったケースである。その場合、充電終了を待ってあるいは充電を一端停止し、新たな充電を開始する必要がある。
この発明は、以上のような事情を考慮してなされたものであって、充電中および／または充電終了時に充電量を簡便に変更できる充電システムを提供するものである。
【課題を解決するための手段】
【０００５】
この発明は、複数の電気自動車のバッテリーを充電する急速充電部と、充電量に関する設定を受付ける入力操作部と、充電に係る通知を受領し充電量の変更に係る指示を受付ける携帯通信端末と、前記急速充電部、前記入力操作部および前記携帯通信端末と通信可能であって前記入力操作部が受付けた設定に基づいて前記急速充電部による充電を開始すると共に充電中および／または充電終了時に前記携帯通信端末への通知を行う充電制御部とを備え、前記通知を受けた携帯通信端末は、充電中および／または充電終了時に充電量の変更に係る指示を受付けて前記充電制御部に送信し、前記充電制御部は、前記指示に基づく充電を行うことを特徴とする電気自動車用充電システムを提供する。
【０００６】
また、異なる観点からこの発明は、（１）複数の電気自動車のバッテリーを充電する急速充電部、（２）充電量に関する設定を受付ける入力操作部、および（３）充電に係る通知を受領し充電量の変更に係る指示を受付ける携帯通信端末と通信可能であって前記入力操作部が受付けた設定に基づいて前記急速充電部による充電を開始し、充電中および／または充電終了時に前記携帯通信端末への通知を行う充電制御部を備え、前記充電制御部は、前記携帯通信端末が充電中および／または充電終了時に受付けた充電量の変更に係る指示に応答して前記指示に基づく充電を開始することを特徴とする電気自動車用充電制御装置を提供する。
【発明の効果】
【０００７】
この発明における電気自動車用充電システムにおいて、携帯通信端末は、充電中および／または充電終了時に充電量の変更に係る指示を受付けて前記充電制御部に送信し、充電制御部は、その指示に基づく充電を開始するので、ユーザは充電中および／または充電終了時に充電量を簡便に変更できる。
【図面の簡単な説明】
【０００８】
【図１】この発明の充電システムの構成例を示すブロック図である。
【図２】図１における入力装置の表示部に表示される画面の一例を示す説明図である。（充電量設定）
【図３】図１における入力装置の表示部に表示される画面の一例を示す説明図である。（顧客端末への通知設定）
【図４】図１における充電機制御部の充電に係る処理を示すフローチャートである。
【図５】図１におけるサーバ制御部の充電に係る処理を示すフローチャートである。（充電開始から充電停止まで）
【図６】図１におけるサーバ制御部の充電に係る処理を示すフローチャートである。（充電終了の通知）
【図７】図１における端末処理部の追加充電に係る処理を示すフローチャートである。
【図８】図１における端末処理部の充電設定変更に係る処理を示すフローチャートである。
【図９】図１における端末処理部の異常停止時の処理を示すフローチャートである。
【図１０】図１におけるサーバ制御部の充電に係る処理を示すフローチャートである。（前半）
【図１１】図１におけるサーバ制御部の充電に係る処理を示すフローチャートである。（後半）
【図１２】図１におけるサーバ制御部の異常監視に係る処理を示すフローチャートである。
【図１３】図１における充電機制御部の異常監視に係る処理を示すフローチャートである。
【図１４】図１における顧客端末に表示される通知の内容を前後の事象と共に示す説明図である。（充電完了および追加充電）
【図１５】図１における顧客端末に表示される通知の内容を前後の事象と共に示す説明図である。（充電設定の変更）
【図１６】図１における顧客端末に表示される通知の内容を前後の事象と共に示す説明図である。（異常停止時に充電を継続）
【図１７】図１における顧客端末に表示される通知の内容を前後の事象と共に示す説明図である。（異常停止時に充電を中断）
【図１８】図１における顧客端末に表示される通知の内容を前後の事象と共に示す説明図である。（充電開始時に予想充電時間を通知）
【発明を実施するための形態】
【０００９】
以下、図面を用いてこの発明をさらに詳述する。なお、以下の説明は、すべての点で例示であって、この発明を限定するものと解されるべきではない。
（実施の形態１）
≪充電システムの構成≫
図１は、この発明の充電システムの構成例を示すブロック図である。図１に示す充電システム１１は、充電機１３、入力装置１５、顧客端末１７および管理サーバ１９からなる。
充電機１３は、商用電源等から電力を得て電気自動車２１のバッテリー２３に充電を行う回路としての充電部４３、充電部の動作を制御するコンピュータおよび制御回路としての充電機制御部４１を備える。充電部４３は、バッテリー２３に接続する充電プラグを含む。
【００１０】
入力装置１５は、充電機１３の傍に置かれてユーザが充電に関する指示と設定を行うための装置である。入力装置１５は、入力制御部４５、カード読取り部４７、表示部４９および入力部５１を備える。カード読取り部４７は、充電ステーションのメンバーズカードやクレジットカードを読み取るカードリーダである。表示部４９は、操作のガイダンスや設定用画面および設定の内容等を表示する。入力部５１は、表示部４９の表示を確認しつつユーザが行う入力操作を受付けるものである。入力制御部４５は、カード読取り部４７、表示部４９および入力部５１を制御する。
【００１１】
表示部４９の具体的態様としては、例えば液晶表示装置が挙げられる。入力部５１の具体的態様としては、例えば表示部４９へのタッチを検出するタッチパネルや操作ボタンが挙げられる。入力制御部４５の具体的態様としては、例えばマイクロコンピュータが挙げられる。なお図１において入力装置１５は単独の装置としているが、例えば充電機１３と一体であってもよく、さらに、充電機１３、管理サーバ１９および入力装置１５が一体であってもよい。あるいは顧客端末１７のハードウェア資源を入力装置として用いる態様もこの発明の充電システムに含まれる。このように、この発明による充電システムを構成する装置の数や機能分散の態様は図１に示す態様の他にも種々考えられ、図１に限定されない。ただし、少なくとも顧客が通知を受ける顧客端末１７と充電を行う充電機１３とは別体の装置であることが好ましい。
【００１２】
顧客端末１７は、例えばスマートフォンやタブレットなど汎用のハードウェアを想定しているが、これに限らない。汎用の装置であってもよいが専用のものであってもよい。充電に係る通知を受信してユーザに知らせることができるものであればよい。
端末処理部５３の具体的態様としては、スマートフォンに搭載されたＣＰＵを中心とする処理回路が挙げられる。表示／入力部５５の具体的態様としては、液晶表示パネルや有機ＥＬのディスプレイパネルおよびそのディスプレイパネルへのタッチを検出するタッチパネルが挙げられる。
【００１３】
管理サーバ１９は、充電機１３、入力装置１５および顧客端末１７と無線通信あるいは有線通信で接続されたサーバである。管理サーバ１９は、大容量のメモリ３１を備えている。メモリ３１は、充電ステーションの顧客が所有するメンバーズカードに登録された情報をメンバーズカードテーブル３３ａとして格納する。メンバーズカードテーブル３３ａは、例えばカードのＩＤ、顧客の氏名、電気自動車の車種、その電気自動車の燃費の公称値、顧客の通知先の携帯電話番号とメールアドレス、その他のメモなどを格納する。
【００１４】
さらに、メモリ３１は、充電機テーブル３３ｂを格納する。充電機テーブル３３ｂは、例えば管理サーバ１９が管理する複数の充電機の名前とＩＤ、各充電機について異常停止の状態を示す異常停止フラグなどを格納する。
さらに、メモリ３１は、充電履歴データ３３ｃを格納する。充電履歴データ３３ｃは、充電時に充電プラグを介して電気自動車２１から送られる車両ＩＤ毎に各車両の履歴を格納する。充電履歴データは、例えば車両ＩＤ、車種、充電を行った年月日、充電量、充電時の累積走行距離を格納する。車種、充電量および累積走行距離のデータは、車両ＩＤと共に、充電時に充電プラグを介して電気自動車２１から取得する。
サーバ制御部３５は、管理サーバ１９のＣＰＵと周辺回路である。
【００１５】
≪充電設定のユーザインターフェイス≫
図２および図３は、図１における入力装置１５の表示部４９に表示される充電設定用画面の一例を示す説明図である。
ユーザが入力装置１５のカード読取り部４７にメンバーズカードを読み取らせるか、あるいは表示部４９にタッチすると、図２に示す操作画面Ｄ１１が表示部４９に表示される。操作画面Ｄ１１は、高速充電と通常充電のいずれかをユーザに選択させる。ここでは、高速充電は、低速充電に比べて充電時間が短いが充電量当たりの単価が割高に設定されているものとする。ユーザが高速充電と通常充電のいずれかのボタンにタッチして充電の種類を選択すると、入力部５１を介して操作を受付けた入力制御部４５は、操作画面Ｄ１３を表示部４９に表示する。操作画面Ｄ１３は、充電量（購入量）の指定方法を選択する画面である。選択肢として「満充電」、「金額を指定」、「時間を指定」、「量を指定」および「距離を指定」がある。
【００１６】
動作画面Ｄ１３においてユーザによって「満充電」が選択されたとき、入力制御部４５は、表示部４９に操作画面Ｄ１５を表示させる。操作画面Ｄ１５には、満充電までの予測時間が「××分かかります。宜しいですか？」と表示され「はい」および「いいえ」の選択肢が表示される。ここで、満充電までの予測時間は、電気自動車２１と入力制御部４５とが充電プラグを介して情報をやり取りし、入力制御部４５が算出するものとする。あるいは、通信を介してサーバ制御部３５が算出してもよい。
ユーザによって「はい」が選択されると、入力制御部４５は、表示部４９に操作画面Ｄ３３を表示させて充電開始の確認を求める。操作画面Ｄ３３には、「充電を開始します。予想充電時間：××分」のメッセージが表示され、「はい」および「いいえ」の選択肢が表示される。操作画面Ｄ１５において「いいえ」が選択されたときは、操作画面Ｄ１３に戻る。
【００１７】
前述の操作画面Ｄ１３で、「金額を指定」が選択されたとき、入力制御部４５は、表示部４９に操作画面Ｄ１７を表示させる。操作画面Ｄ１７には、予め定められた金額「１０００円（××分）」、「２０００円（××分）」のボタンと「金額を指定」のボタンが表示される。「１０００円（××分）」、「２０００円（××分）」のいずれかのボタンがユーザによって選択された場合、入力制御部４５は、表示部４９に前述の操作画面Ｄ３３を表示させて充電開始の確認を求める。操作画面Ｄ１７で「金額を指定」のボタンが選択された場合、入力制御部４５は、表示部４９に金額を指定する操作画面Ｄ１９を表示させる。
には、「金額を指定してください」のメッセージ、金額を入力する領域および「充電」ボタンが表示される。金額を入力する領域は、例えば単位を「円」として一桁ごとにゼロから９のダイヤルを模したイラストが並び、各桁のダイヤルをユーザが上下にスクロールさせることで設定されてもよい。あるいは、操作画面の空いた領域にテンキーが表示されそのテンキーにユーザがタッチすることで設定されてもよい。操作画面Ｄ１９で金額が指定され、その後「充電」ボタンが押されたら、入力制御部４５は表示部４９に前述の操作画面Ｄ３３を表示させる。
【００１８】
また、前述の操作画面Ｄ１３で、「時間を指定」が選択されたとき、入力制御部４５は、表示部４９に操作画面Ｄ２１を表示させる。操作画面Ｄ２１には、予め定められた時間「３０分（××円）」、「１時間（××円）」のボタンと「時間を指定」のボタンが表示される。「３０分（××円）」、「１時間（××円）」のいずれかのボタンがユーザによって選択された場合、入力制御部４５は、表示部４９に前述の操作画面Ｄ３３を表示させて充電開始の確認を求める。操作画面Ｄ２１で「時間を指定」のボタンが選択されたら、入力制御部４５は、表示部４９に時間を指定する操作画面Ｄ２３を表示させる。
操作画面Ｄ２３は、「時間を指定してください」のメッセージ、時間を入力する領域および「充電」ボタンが表示される。時間を入力する領域は、各桁のダイヤルをユーザが上下にスクロールさせることで設定されてもよい。あるいは、操作画面の空いた領域にテンキーが表示されそのテンキーにユーザがタッチすることで設定されてもよい。時間が指定され、その後「充電」ボタンが押されたら、入力制御部４５は表示部４９に前述の操作画面Ｄ３３を表示させる。
【００１９】
あるいはまた、前述の操作画面Ｄ１３で、「量を指定」が選択されたとき、入力制御部４５は、表示部４９に操作画面Ｄ２５を表示させる。操作画面Ｄ２５には、予め定められた量「１０％（××円）」、「５０％（××円）」のボタンと「量を指定」のボタンが表示される。「１０％（××円）」、「５０％（××円）」のいずれかのボタンがユーザによって選択された場合、入力制御部４５は、表示部４９に前述の操作画面Ｄ３３を表示させて充電開始の確認を求める。操作画面Ｄ２５で「量を指定」のボタンが選択されたら、入力制御部４５は、表示部４９に量を指定する操作画面Ｄ２７を表示させる。
操作画面Ｄ２７は、「量を指定してください」のメッセージ、量を入力する領域および「充電」ボタンが表示される。量を入力する領域は、各桁のダイヤルをユーザが上下にスクロールさせることで設定されてもよい。ここで、「％」はバッテリー２３が満充電時に蓄えるエネルギー量を１００としそのエネルギー量に対する比率をパーセントで表したときの割合である。
量の入力は、各桁のダイヤルをユーザがスクロールさせることで設定されてもよい。操作画面の空いた領域にテンキーが表示されそのテンキーにユーザがタッチすることで設定されてもよい。量が指定され、その後「充電」ボタンが押されたら、入力制御部４５は表示部４９に前述の操作画面Ｄ３３を表示させる。
【００２０】
また、前述の操作画面Ｄ１３で、「距離を指定」が選択されたとき、入力制御部４５は、表示部４９に操作画面Ｄ２９を表示させる。操作画面Ｄ２９には、予め定められた距離「１０ｋｍ（××円）」、「２０ｋｍ（××円）」のボタンと「距離を指定」のボタンが表示される。「１０ｋｍ（××円）」、「２０ｋｍ（××円）」のいずれかのボタンがユーザによって選択された場合、入力制御部４５は、表示部４９に前述の操作画面Ｄ３３を表示させて充電開始の確認を求める。操作画面Ｄ２９で「距離を指定」のボタンが選択されたら、入力制御部４５は、表示部４９に距離を指定する操作画面Ｄ３１を表示させる。
操作画面Ｄ３１は、「距離を指定してください」のメッセージ、距離を入力する領域および「充電」ボタンが表示される。距離を入力する領域は例えば各桁のダイヤルをユーザが上下にスクロールさせることで設定されてもよい。
【００２１】
あるいは、操作画面の空いた領域にテンキーが表示されそのテンキーにユーザがタッチすることで設定されてもよい。距離が指定され、その後「充電」ボタンが押されたら、入力制御部４５は表示部４９に前述の操作画面Ｄ３３を表示させる。
以上のように、「満充電」、「金額」、「時間」、「量」または「距離」のいずれかで充電量が指定された後、操作画面Ｄ３３でユーザが「いいえ」を選択した場合、入力制御部４５は表示部４９に直前に表示されていた操作画面を表示させて充電量の指定のやり直しを求める。
【００２２】
一方、操作画面Ｄ３３でユーザが「はい」を選択したら、入力制御部４５は表示部４９に図３に示す通知要否設定の操作画面Ｄ３５を表示させる。操作画面Ｄ３５には、「充電完了を形態に連絡しますか？」のメッセージが表示され、「はい」および「いいえ」の選択肢が表示される。
操作画面Ｄ３５でユーザによって「はい」が選択されかつ顧客への通知先がメンバーズカードに登録されて既知の場合、入力制御部４５は、操作画面Ｄ３９を表示させる。また、操作画面Ｄ３５で「いいえ」が選択された場合も、表示部４９に操作画面Ｄ３９を表示させる。しかし、操作画面Ｄ３５で「はい」が選択されかつ顧客への通知先が登録されていない場合、入力制御部４５は操作画面Ｄ３７を表示させて通知先の入力を求める。操作画面Ｄ３７には、「携帯番号またはe-mailアドレスを入力して下さい。」のメッセージと入力領域および送信ボタンが表示される。入力領域は手書き文字入力を受付けてもよいし、入力領域にタッチすると図３に図示しないソフトウェアキーボードが表示され、それを用いて入力を受付けてもよい。操作画面Ｄ３７でユーザが通知先の入力を終えたら、入力制御部４５は表示部４９に操作画面Ｄ３９を表示させる。
操作画面Ｄ３７には、「充電を開始しました」のメッセージと「終了」ボタンが表示される。「終了」ボタンがユーザに押されたら入力操作の受付けを終了する。
【００２３】
≪充電制御部による充電処理≫
続いて、フローチャートを用いて充電に係る処理を説明する。
図４〜図１３は、この発明の充電システムによる充電のタスク処理を示すフローチャートである。以下、フローチャートに沿って各部の処理を説明する。この実施形態において、図４〜図１３に示す各タスクは、マルチタスク環境下で実行されるものとしている。ただし、実質的に同時並行処理が可能であればよく、マルチタスク環境が必須の要件ではない。
まず、図１に示す入力制御部４５による充電処理を説明する。この処理は、図２および図３の操作と対応する。
【００２４】
入力制御部４５は、待機中にカード読取り部４７によってメンバーズカードが読み取られたか否かを監視する（ステップＳ１１）。メンバーズカードが読み取られたら（ステップＳ１１のＹｅｓ）、入力制御部４５は、読み取った情報（メンバーズカードのＩＤ）を管理サーバに送信する（ステップＳ１３）。ＩＤを受信したサーバ制御部３５は、メンバーズカードテーブル３３ａにアクセスして該当するＩＤの登録情報を参照する。
その後、ルーチンはステップＳ１７へ進み充電の設定を受付ける。
前記ステップＳ１１で、メンバーズカードを認識しない場合（ステップＳ１１のＮｏ）、続けて入力制御部４５は、表示部４９にユーザがタッチしたか否かを監視する（ステップＳ１５）。表示部４９にタッチされたとき（ステップＳ１５のＹｅｓ）、ルーチンはステップＳ１７へ進み充電の設定を受付ける。これは、例えばメンバーズカードを持たないユーザが充電を行う場合に該当する。
【００２５】
一方、表示部４９へのタッチが検出されない場合、ルーチンはステップＳ１１へ戻りループする。
ステップＳ１７で、入力制御部４５は充電の設定を受付ける。充電の種類と充電量の設定を受付けつつ（ステップＳ１７）、入力制御部４５は、充電設定の終了および充電開始の指示を待つ（ステップＳ１９）。この間の表示部４９の表示および操作の流れは、図２の操作画面Ｄ１１〜Ｄ３３に該当する。
【００２６】
充電の設定が終了したら（ステップＳ１９のＹｅｓ）、入力制御部４５は、充電完了を顧客端末に連絡するか否かの選択を待つ（ステップＳ２１）。これは、図３の操作画面Ｄ３５に該当する。操作画面Ｄ３５で「はい」が選択されたら（ステップＳ２１のＹｅｓ）、入力制御部４５は、ユーザの連絡先を入手済か否かを調べる（ステップＳ２３）。入手済でなければ（ステップＳ２３のＮｏ）、入力制御部４５は表示部４９に操作画面Ｄ３７を表示させてユーザの連絡先の入力を受付け（ステップＳ２５）、その後ルーチンはステップＳ２７へ進む。
【００２７】
一方、ユーザの連絡先を入手済の場合（ステップＳ２３のＹｅｓ）、ルーチンはステップＳ２７へ進み、これまでに受付けた充電設定の内容を管理サーバに送信する。そして、入力制御部４５は表示部４９に操作画面Ｄ３９を表示させて充電を開始した旨をユーザに知らせる（ステップＳ２９）。
また、前記ステップＳ２１で、ユーザが顧客端末に連絡しないことを選択した場合（操作画面Ｄ３５の「いいえ」を選択）、ルーチンはステップＳ２７へ進み、入力制御部４５はこれまでに受付けた充電設定の内容を管理サーバに送信する。そして、表示部４９に操作画面Ｄ３９を表示させて充電を開始した旨をユーザに知らせる（ステップＳ２９）。
【００２８】
≪サーバ制御部による充電処理≫
続いて、サーバ制御部３５の充電に係るタスク処理を説明する。図５および図６は、図１におけるサーバ制御部の充電に係る処理を示すフローチャートである。
図５で、サーバ制御部３５は、充電設定の内容および充電開始の指示が送られるのを待つ（ステップＳ３１）。ここで、充電設定の内容および充電開始の指示が送られるのは、まず、図４に示すステップＳ２７の処理を入力制御部４５が実行した場合が挙げられる。その他の場合もある。その一つは、顧客端末１７でユーザが追加充電の指示を行ったときである。
【００２９】
さらに、顧客端末１７でユーザが充電中に充電設定の変更を行ったときが挙げられる。
また、充電機１３で異常が検出されて実行中の充電を停止したが、顧客端末１７でユーザが動作可能な他のモードに切替え充電継続の指示を行った場合が挙げられる。
顧客端末１７は、管理サーバ１９または図示しない他のサーバが提供するウェブページにアクセスしてそのウェブページで提供されるユーザインターフェイスを用いて追加充電や充電設定変更の指示を行う。その指示が管理サーバ１９に送られたとき、サーバ制御部３５は、充電機設定および充電開始の指示を受けたと判断する。
【００３０】
充電設定の内容および充電開始の指示が送られてきたら（ステップＳ３１のＹｅｓ）、サーバ制御部３５は、充電設定の内容をメモリ３１に格納した後（ステップＳ３２）、充電中の監視処理を行う。即ち、異常停止フラグの状態を参照し（ステップＳ３３）、異常停止フラグがセットされているか否かを調べる（ステップＳ３５）。異常停止フラグは、サーバ制御部３５が実行する他のタスクであって、充電機１３が正常に動作しているか否かを監視するタスクによって管理される。充電機１３から異常発生の通知を受けると、そのタスクが異常停止フラグをセットする。なお、充電機１３は実行可能な充電モードがあればそのモードも併せて通知する。詳細は後述する。
【００３１】
異常停止フラグがセットされている場合（ステップＳ３５のＹｅｓ）、サーバ制御部３５は、充電機１３が異常停止した旨の連絡を顧客端末１７に送信する（ステップＳ３７）。ただし、送信先が入手済の場合に限る。またこのとき、実行可能な他の充電モードがあればその充電モードの情報も併せて送信する。例えば、高速充電はできないが通常充電は可能であるといった場合である。そして、異常停止フラグをリセットする（ステップＳ３９）。その後、サーバ制御部３５は、充電機１３の充電を停止させる（ステップＳ４１）。
【００３２】
一方、前記ステップＳ３５で異常停止フラグがセットされていないとき（ステップＳ３５のＮｏ）、次にサーバ制御部３５は充電の経過を顧客端末に通知するか否かを判断する（ステップＳ４３）。図３の操作画面Ｄ３５で顧客端末１７への通知が選択されていない場合あるいは顧客端末１７への通知が選択されているが経過の通知を送るタイミングが到来していない場合（ステップＳ４３のＮｏ）、ルーチンは後述するステップＳ４７へ進む。通知のタイミングが到来している場合（ステップＳ４３のＹｅｓ）、サーバ制御部３５は充電経過のメールを顧客端末１７に送信する（ステップＳ４５）。なお、通知のタイミングは、例えば予想充電時間の５０％、７５％および９０％が経過したときと予め定めておけばよい。あるいは充電完了予測の１５分前と予め定めておけばよい。そして、ルーチンはステップＳ４７へ進む。また、充電中にユーザは顧客端末１７を操作して充電確認のウェブページにアクセスすることで、その時点の充電状態を確認できるようにしてもよい。
【００３３】
ステップＳ４７で、サーバ制御部３５は充電設定変更の指示を受けたか否かを判断する。充電設定変更は、顧客端末１７が、管理サーバ１９または図示しない他のサーバが提供するウェブページにアクセスしてそのウェブページで提供されるユーザインターフェイスを用いて指示および設定の変更を行う。その指示が管理サーバ１９に送られたとき、サーバ制御部３５は、充電設定変更の指示を受けたと判断する（ステップＳ４７のＹｅｓ）。その場合、ルーチンは前述のステップＳ４１へ進み、実行中の充電を停止させる。
一方、前記ステップＳ４７で充電設定変更の指示がなかったと判断したら（ステップＳ４７のＮｏ）、次にルーチンはステップＳ４９へ進む。
【００３４】
ステップＳ４９で、サーバ制御部３５は充電が指定された充電量に達したか否かを判断する。指定された充電量に達したと判断した場合（ステップＳ４９のＹｅｓ）、ルーチンは前述のステップＳ４１へ進み、実行中の充電を停止させる。
一方、前記ステップＳ４９で充電設定変更の指示がなかったと判断したら（ステップＳ４９のＮｏ）、ルーチンは前述のステップＳ３３へ戻る。これが充電中のループである。
前記ステップＳ４１で充電を停止した後、サーバ制御部３５は充電終了を顧客端末に通知するか否かを判断する（図６のステップＳ５１）。図３の操作画面Ｄ３５で「はい」が選択されている場合（ステップＳ５１のＹｅｓ）、サーバ制御部３５は充電終了の通知を顧客端末１７に送信し（ステップＳ５３）、タスクを終了する。操作画面Ｄ３５で「いいえ」が選択されている場合（ステップＳ５１のＮｏ）、サーバ制御部３５は充電終了の通知を行わずにタスクを終了する。
【００３５】
≪顧客端末による追加充電の指示≫
続いて、ユーザの顧客端末１７が充電終了の通知を受けたとき、その通知に含まれる追加充電のオプションがユーザにより選択され、追加充電を開始するときの端末処理部５３の処理を説明する。
図６のステップＳ５３で、充電が終了したとき管理サーバ１９から顧客端末１７へ通知が送られる。この通知には、続けて追加充電の指示を行うオプションが含まれていてもよい。
図７は、図１における端末処理部の追加充電に係る処理を示すフローチャートである。図７で、端末処理部５３は、充電終了の通知が管理サーバ１９から送られてくるのを監視する（ステップＳ６１）。充電終了の通知を受けたら（ステップＳ６１のＹｅｓ）、その通知の内容を表示／入力部５５に表示させる（ステップＳ６３）。
【００３６】
端末処理部５３は、その通知にオプションの選択肢として含まれる追加充電の指示を表示／入力部５５が受付けたか否かを調べる（ステップＳ６５）。受付けなかった場合（ステップＳ６５のＮｏ）ルーチンは前述のステップＳ６１へ戻り、次の通知を待つが、追加充電の指示を受付けた場合は（ステップＳ６５のＹｅｓ）、予め対応付けられたＵＲＬにアクセスする。そのＵＲＬで特定されるウェブサイトには、追加充電の設定を行うユーザインターフェイスが用意されている（ステップＳ６７）。端末処理部５３は、そのウェブサイトでユーザが追加充電の指示に係る操作を行うのを受付ける。指示の内容は管理サーバ１９のサーバ制御部３５に送られて認識される（図５のステップＳ３１参照）。
追加充電の設定が終了し、そのウェブサイトが閉じられたら（ステップＳ６９のＹｅｓ）、ルーチンは前述のステップＳ６１へ戻り、次の通知を待つ。
【００３７】
≪顧客端末による充電設定変更の指示≫
次に、ユーザの顧客端末１７が充電経過の通知を受けたとき、その通知に含まれる充電設定変更のオプションがユーザにより選択され、設定を変更するときの端末処理部５３の処理を説明する。
図５のステップＳ４５で、充電経過を通知するタイミングが到来したとき管理サーバ１９から顧客端末１７へ通知が送られる。この通知には、充電設定の変更を行うオプションが含まれていてもよい。
図８は、図１における端末処理部の充電設定変更に係る処理を示すフローチャートである。図８で、端末処理部５３は、充電経過の通知が管理サーバ１９から送られてくるのを監視する（ステップＳ７１）。充電経過の通知を受けたら（ステップＳ７１のＹｅｓ）、その通知の内容を表示／入力部５５に表示させる（ステップＳ７３）。
【００３８】
端末処理部５３は、その通知にオプションの選択肢として含まれる充電設定変更の指示を表示／入力部５５が受付けたか否かを調べる（ステップＳ７５）。受付けなかった場合（ステップＳ７５のＮｏ）ルーチンは前述のステップＳ７１へ戻り、次の通知を待つが、充電設定変更の指示を受付けた場合は（ステップＳ７５のＹｅｓ）、予め対応付けられたＵＲＬにアクセスする。そのＵＲＬで特定されるウェブサイトには、充電の設定変更を行うユーザインターフェイスが用意されている（ステップＳ７７）。端末処理部５３は、そのウェブサイトでユーザが追加充電設定変更に係る操作を行うのを受付ける。指示の内容は管理サーバ１９のサーバ制御部３５に送られて認識される（図５のステップＳ３１およびＳ４７参照）。
充電の設定変更が終了し、そのウェブサイトが閉じられたら（ステップＳ７９のＹｅｓ）、ルーチンは前述のステップＳ７１へ戻り、次の通知を待つ。
なお、充電経過の通知は、充電中の予め定められたタイミングで送られてもよいが、例えば、充電機１３の商用電源に停電が発生して充電機１３による充電が２０分間停止し、停電が復旧後に充電が再開されたときに通知が行われてもよい。サーバ制御部３５は、停電により予想充電完了時間に変更が生じたと判断して充電経過の通知を顧客端末１７に送る。
【００３９】
≪異常停止時の充電継続の指示≫
次に、ユーザの顧客端末１７が充電機１３の異常停止の通知を受けたとき、その通知に含まれる異なる充電モードでの充電継続のオプションがユーザにより選択され、充電を継続するときの端末処理部５３の処理を説明する。
図５のステップＳ３７で、異常停止フラグがセットされているとき管理サーバ１９から顧客端末１７へ充電機１３の異常停止が通知される。この通知には、異なる充電モードに切替えることにより充電が継続可能であればその充電モードに切替えるオプションが含まれていてもよい。
図９は、図１における端末処理部の異常停止時の処理を示すフローチャートである。図９で、端末処理部５３は、異常停止の通知が管理サーバ１９から送られてくるのを監視する（ステップＳ８１）。異常停止の通知を受けたら（ステップＳ８１のＹｅｓ）、その通知の内容を表示／入力部５５に表示させる（ステップＳ８３）。
【００４０】
端末処理部５３は、その通知にオプションの選択肢として含まれる充電継続の指示を表示／入力部５５が受付けたか否かを調べる（ステップＳ８５）。受付けなかった場合（ステップＳ８５のＮｏ）ルーチンは前述のステップＳ８１へ戻り、次の通知を待つが、充電設定変更の指示を受付けた場合は（ステップＳ８５のＹｅｓ）、予め対応付けられたＵＲＬにアクセスする。そのＵＲＬで特定されるウェブサイトには、継続可能なモードに切替えて充電を続けるためのユーザインターフェイスが用意されている（ステップＳ８７）。端末処理部５３は、そのウェブサイトでユーザが追加充電設定変更に係る操作を行うのを受付ける。指示の内容は管理サーバ１９のサーバ制御部３５に送られて認識される（図５のステップＳ３１参照）。
充電の設定変更が終了し、そのウェブサイトが閉じられたら（ステップＳ８９のＹｅｓ）、ルーチンは前述のステップＳ８１へ戻り、次の通知を待つ。
【００４１】
≪充電設定のメモリへの格納≫
図５に示すように、サーバ制御部３５は、充電設定の内容および充電開始の指示が送られてきたら、受領した充電設定の内容をメモリ３１に格納する（図５のステップＳ３２参照）。
図１０および図１１は、サーバ制御部３５が充電設定の内容をメモリ３１に格納する処理の詳細を示すフローチャートである。フローチャートに沿って説明をする。
サーバ制御部３５は、受領した充電設定の各項目に対応するメモリアドレスに、設定された内容を格納する。まず、充電モードとして高速充電が選択されていれば（ステップＳ１０１のＹｅｓ、図２の操作画面Ｄ１１参照）、対応するメモリアドレスに高速充電の選択を示すデータを格納する（ステップＳ１０３）。通常充電が選択されていれば（ステップＳ１０１のＮｏ）、対応するメモリアドレスに通常充電の選択を示すデータを格納する（ステップＳ１０５）。
【００４２】
次に、サーバ制御部３５は充電量の指定方法として満充電が選択されているか否かを調べる（ステップＳ１０７、図２の操作画面Ｄ１３およびＤ１５参照）。満充電が選択されていれば（ステップＳ１０７のＹｅｓ）、対応するメモリアドレスに満充電の選択を示すデータを格納する（ステップＳ１０９）。
さらに、サーバ制御部３５は充電量の指定方法として金額指定が選択されているか否かを調べる（ステップＳ１１１、図２の操作画面Ｄ１３、Ｄ１７およびＤ１９参照）。金額指定電が選択されていれば（ステップＳ１１１のＹｅｓ）、対応するメモリアドレスに金額指定の選択および指定された金額を示すデータを格納する（ステップＳ１１３）。
続いて、サーバ制御部３５は充電量の指定方法として時間指定が選択されているか否かを調べる（ステップＳ１１５、図２の操作画面Ｄ１３、Ｄ２１およびＤ２３参照）。時間指定電が選択されていれば（ステップＳ１１５のＹｅｓ）、対応するメモリアドレスに時間指定の選択および指定された時間を示すデータを格納する（ステップＳ１１７）。
【００４３】
次に、サーバ制御部３５は充電量の指定方法として量指定が選択されているか否かを調べる（ステップＳ１１９、図２の操作画面Ｄ１３、Ｄ２５およびＤ２７参照）。量指定が選択されていれば（ステップＳ１１９のＹｅｓ）、対応するメモリアドレスに量指定の選択および指定された量を示すデータを格納する（ステップＳ１２１）。
さらに、サーバ制御部３５は充電量の指定方法として距離指定が選択されているか否かを調べる（ステップＳ１２３、図２の操作画面Ｄ１３、Ｄ２９およびＤ３１参照）。距離指定電が選択されていれば（ステップＳ１２３のＹｅｓ）、対応するメモリアドレスに距離指定の選択および指定された距離を示すデータを格納する（ステップＳ１２５）。そして、充電履歴データ３３ｃを参照して、指定された距離を走行するために必要な充電量を算出し、算出した充電量をメモリ３１に格納する（ステップＳ１２７）。
以上のように充電量をメモリ３１に格納したら、サーバ制御部３５は顧客端末に充電経過および充電終了の通知を行うか否かの選択を調べる（ステップＳ１２９、図３の操作画面Ｄ３５参照）。顧客端末への通知が選択されていれば（ステップＳ１２９のＹｅｓ）、対応するメモリアドレスに通知の選択を示すデータを格納する（ステップＳ１３１）。
【００４４】
≪充電機の異常停止の監視≫
充電機１３の異常停止の監視を行う処理を説明する。
図１２は、図１における異常監視に係るサーバ制御部３５の処理を示すフローチャートであり、図１３は充電機制御部４１の処理を示すフローチャートである。
まず図１２に示すサーバ制御部３５の処理を説明する。サーバ制御部３５は、充電機１３に対して正常／異常の状態を返すように状態要求を逐次送信する（ステップＳ１４１）。状態要求に応答して充電機１３から状態が送られてきたか否かを調べる（ステップＳ１４３）。未だ応答を受信していなければ（ステップＳ１４３のＮｏ）、状態要求送信後予め定められた応答期限が経過したか否かを調べる（ステップＳ１４５）。応答期限が経過していなければ、ルーチンはステップＳ１４３へ戻り応答を待つ。応答期限が経過したら（ステップＳ１４５のＹｅｓ）、ルーチンは後述するステップＳ１４９へ進み、異常停止フラグをセットする。
【００４５】
前記ステップＳ１４３で充電機１３から応答を受けたら（ステップＳ１４３のＹｅｓ）、サーバ制御部３５は、その応答に含まれる充電機１３の状態を調べる（ステップＳ１４７）。応答に含まれる状態が異常の発生を示しているとき（ステップＳ１４７のＹｅｓ）、ルーチンはステップＳ１４９へ進み、異常停止フラグをセットする。なお、この異常停止フラグは、図５に示すタスクのステップＳ３５で参照される。その後、ルーチンはステップＳ１５１へ進む。
前記ステップＳ１４７で、応答に含まれる状態が正常であることを示しているとき（ステップＳ１４７のＮｏ）、ルーチンはステップＳ１５１へ進む。
ステップＳ１５１で、サーバ制御部３５は、状態要求送信後予め定められた期間の経過を待つ（ステップＳ１５１）。この期間は、状態要求を送信する間隔として予め定められた期間である。前記ステップＳ１４５の応答期限よりも長く定められている。期間が経過したら（ステップＳ１５１のＹｅｓ）、ルーチンはステップＳ１４１へ戻り、次の状態要求を送信する。
以上が、サーバ制御部３５の処理である。
【００４６】
続いて、図１３に示す充電機制御部４１の処理を説明する。充電機制御部４１は、サーバ制御部３５から状態要求が送られてくるのを待つ（ステップＳ１６１）。状態要求を受けたら（ステップＳ１６１のＹｅｓ）、充電機制御部４１は、充電機１３の状態を調べて、正常あるいは異常の状態を返す。異常の場合、安全のために充電を停止させると共に、継続可能な充電モードがあればその充電モードの情報を状態と共に管理サーバ１９に返す（ステップＳ１６３）。また、異常の状態がユーザ側で対処すべきものであれば異常状態の詳細あるいは対処を示す情報を返してもよい。例えば、充電プラグと電気自動車２１との接触が正常でないことが検出された場合、充電プラグの接続を確認する対応をユーザに求める情報を返す。
以上が充電機制御部４１の処理である。
【００４７】
≪顧客端末の画面表示≫
図１４〜図１８は、この実施形態の顧客端末に表示される通知の内容を前後の事象の流れと共に示す説明図である。図１４は、充電完了時の通知と追加充電を示している。図１５は、充電中の設定変更を示している。図１６は、充電機１３が異常停止して継続充電を行う場合を示している。図１７は、充電機１３が異常停止して充電を中断する場合を示している。図１８は、充電開始時に予想充電時間を通知する場合を示している。
何れも、事象の流れをカッコ付きの数字（１）、（２）等で示し、選択が分かれる場合は枝番を付している。
【００４８】
図１４の事象（３）は、図７のステップＳ６３に対応し、図１４の事象（４−２）および（５）は、図７のステップＳ６７に対応する。
図１５の事象（３）は、充電中にユーザが顧客端末１７からアクセス可能な充電確認のウェブページの一例を示している。図１５の事象（４−２）は、図８のステップＳ７７に対応する。
図１６の事象（３）は、図９のステップＳ８３に対応している。図１６の事象（５）は、図９のステップＳ８７に対応する。
図１７の事象（３）は、図９のステップＳ８３に対応している。
また、図１８の事象（４）は、図４の変形例として、図４のステップＳ２１で充電完了だけでなく予想充電時間も顧客端末１７に送るように選択されたとき、充電を開始した時点で顧客端末１７に予想充電時間の通知を送る態様を示している。
【００４９】
以上に述べたように、
（ｉ）この発明による電気自動車用充電システムは、複数の電気自動車のバッテリーを充電する急速充電部と、充電量に関する設定を受付ける入力操作部と、充電に係る通知を受領し充電量の変更に係る指示を受付ける携帯通信端末と、前記急速充電部、前記入力操作部および前記携帯通信端末と通信可能であって前記入力操作部が受付けた設定に基づいて前記急速充電部による充電を開始すると共に充電中および／または充電終了時に前記携帯通信端末への通知を行う充電制御部とを備え、前記通知を受けた携帯通信端末は、充電中および／または充電終了時に充電量の変更に係る指示を受付けて前記充電制御部に送信し、前記充電制御部は、前記指示に基づく充電を行うことを特徴とする。
【００５０】
この発明において、急速充電部は、充電ステーションや駐車場など公共の場所に設置されて電気自動車のバッテリーを充電するものである。ただし、必ずしもこれに限定されず家庭や会社で使用する電気自動車用充電等が含まれてもよい。前述の実施形態における充電機は、この発明の急速充電部に相当する。
また、入力操作部は、前記急速充電部を用いた充電に関する指示を受付けるものである。その具体的な態様は、例えば、急速充電部と一体あるいは別体に設けられ急速充電部のある場所に設置される入力装置である。ただし、これに限定されず、例えばこの発明の携帯通信端末と共通のハードウェア資源を用いるものであってもよい。顧客端末前述の実施形態における入力装置の入力部は、この発明の入力操作部に相当する。
【００５１】
また、携帯通信端末は、充電制御部と通信可能であって充電に係る通知を受領し充電量の変更に係る指示を受付けるものである。その具体的な態様は、例えば、ユーザが携帯可能なスマートフォンやタブレット等にこの発明に係るアプリケーションがインストールされたものである。前述の実施形態における顧客端末は、この発明の携帯通信端末に相当する。
また、充電制御部は、急速充電部、入力操作部および携帯通信端末と通信可能で充電を制御するものである。前述の実施形態における管理サーバは、この発明の充電制御部に相当する。ただし、充電制御部は必ずしもサーバの形態に限られるものでない。例えば急速充電部と一体の装置であってもよく、あるいは入力操作部と一体の装置であってもよい。  前記充電制御部は、前記携帯通信端末からの補給量の変更に係る指示を受けたとき、その指示に応答して充電中であればその充電を中断し、変更された補給量に基づく充電を開始するようにしてもよい。
【００５２】
さらに、この発明の好ましい態様について説明する。
（実施の形態２）
前記入力操作部は、充電量の設定を充電時間、充電金額、バッテリー残量、走行距離の指定の少なくとも何れかの指定によって受付け、前記携帯通信端末は、設定された充電量の変更を充電時間、充電金額、バッテリー残量、走行距離の少なくとも何れかの指定によって受付けてもよい。
充電量（補給量）はガソリンの給油量に比べてユーザにとって分りにくい概念であるところ、このようにすれば、ガソリンの給油量に対応させてユーザが把握しやすい充電時間、充電金額、バッテリー残量、走行距離の何れかの指定によって充電量の設定を受付けることができる。
【００５３】
（実施の形態３）
前記入力操作部は、充電速度が異なる複数の充電モードのうち一つの充電モードの選択を受付け、前記携帯通信端末は選択された充電モードの変更を受付け、充電中に前記急速充電部に異常が生じて設定された充電モードでの充電が継続できないとき、前記充電制御部はその旨を前記携帯通信端末へ通知すると共に、実行可能な充電モードがあるときはその充電モードを前記携帯通信端末へ通知してもよい。
このようにすれば、異常が生じて設定された充電モードでの充電が継続できなくなっても実行可能な充電モードで充電を継続できる。
【００５４】
（実施の形態４）
前記充電制御部は、実行可能な充電モードがあるときはその充電モードへの切替えを行うようにしてもよい。
このようにすれば、異常が生じて設定された充電モードでの充電が継続できなくなっても実行可能な充電モードへ切替えて充電が継続される。
【００５５】
（実施の形態５）
各電気自動車の充電と走行の履歴を格納する履歴格納部をさらに備え、前記入力操作部および／または前記携帯通信端末が走行距離の指定を受付けたとき、前記充電制御部は前記履歴格納部に格納された前記履歴を参照し、前記走行距離に対応する充電量を算出するようにしてもよい。
このようにすれば、ユーザが把握しやすい走行距離の指定によって充電量の設定を受付け、かつ各電気自動車の充電と走行の履歴に基づいて設定された走行距離に対応する充電量を算出することができる。
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００５６】
１１：充電システム、    １３：充電機、    １５：入力装置、    １７：顧客端末、    １９：管理サーバ、    ２１：電気自動車、    ２３：バッテリー、    ３１：メモリ、    ３３ａ：メンバーズカードテーブル、    ３３ｂ：充電機テーブル、    ３３ｃ：充電履歴データ、    ３５：サーバ制御部、    ４１：充電機制御部、    ４３：充電部、    ４５：入力制御部、    ４７：カード読取り部、    ４９：表示部、    ５１：入力部、    ５３：端末処理部、    ５５：表示／入力部
【図１】
2015167459.tif 000003
【図２】
2015167459.tif 000004
【図３】
2015167459.tif 000005
【図４】
2015167459.tif 000006
【図５】
2015167459.tif 000007
【図６】
2015167459.tif 000008
【図７】
2015167459.tif 000009
【図８】
2015167459.tif 000010
【図９】
2015167459.tif 000011
【図１０】
2015167459.tif 000012
【図１１】
2015167459.tif 000013
【図１２】
2015167459.tif 000014
【図１３】
2015167459.tif 000015
【図１４】
2015167459.tif 000016
【図１５】
2015167459.tif 000017
【図１６】
2015167459.tif 000018
【図１７】
2015167459.tif 000019
【図１８】
2015167459.tif 000020